(57)【要約】      （修正有）【課題】省資源であり、複数の合成樹脂製ポケットホルダーなどをひとまとめにしたセットをユニットとして、複数のユニットを表紙に自在に着脱出来るファイルホルダーを提供する。【解決手段】着脱自在なファイルホルダーは、通常フック形状の雄型面ファスナーを背表紙の内側面に重合せしめたカバー表紙と、ループ形状の雌型面ファスナーを合成紙製のフタ材を有するポケットホルダーユニットの最外面に重合せしめ、該ポケットホルダーユニットが該カバー表紙に着脱自在な機構を有する事となる。【選択図】図４
0003144671.tif 000002
【実用新案登録請求の範囲】
【請求項１】
巾の異なる２枚の合成樹脂製フィルムを重合し、同時に半折し、巾が広い方の合成樹脂製フィルムの上部開口部先端に帯状の合成紙を熱溶着、又は超音波、あるいはインパルスシーラー、感圧接着剤等により半折重合し、両合成樹脂製フィルムの両側縁に沿って、溶断溶着する事により構成された袋体を２〜１０枚重合せしめた最外面の中央部に、面ファスナーテープを熱溶着又は超音波、あるいはインパルスシーラー、感圧接着剤等で重合されてなるポケットホルダーであって、該ポケットホルダーに重合された面ファスナーテープと雌雄を成す面ファスナーテープを、合成樹脂製シート又は合成紙或いは紙からなるカバー表紙の背表紙の内側面に熱溶着又は超音波、或いはインパルスシーラー、感圧接着剤等で重合せしめ、該カバー表紙に該ポケットホルダーを複数部装着することを特徴とする着脱自在なファイルホルダー。
【請求項２】
１枚の合成樹脂製フィルムを半折重合し、上部開口部の先端に帯状の合成紙を熱溶着、又は超音波、或いはインパルスシーラー、感圧接着剤等により半折重合したポケットホルダーであって、袋体下部に帯状の合成樹脂製フィルムを重合し、底辺を溶着した上で両側縁に沿って溶断溶着する事により構成されたポケットホルダーを２〜１０枚重合せしめた請求項１記載のファイルホルダー。
【請求項３】
巾の異なる２枚の合成樹脂製フィルムを重合し、同時に半折し、巾が広い方の合成樹脂製フィルムの上部開口部の先端に帯状の合成紙を熱溶着、又は超音波、或いはインパルスシーラー、感圧接着剤等により半折重合したポケットホルダーであって、巾が狭い方の合成樹脂製フィルムの底部に、逆Ｖ字形ガゼット折りが形成されてなる該ポケットホルダーを２〜１０枚重合せしめた請求項１記載のファイルホルダー。
【考案の詳細な説明】
【技術分野】
【０００１】  本考案は、着脱自在なファイルホルダーに関する。
【背景技術】
【０００２】  従来家庭や職場において書類やカードを体裁良く収納する場合、多くは合成樹脂製の表紙の見開き中央部分に、合成樹脂製のポケットホルダーを超音波または熱溶着せしめる構成のファイルホルダーに収納している。また、これら書類やカードを任意で追加・入れ替えする方法としては、書類に穴を開けてバインダーに綴じる、あるいは予め穴の開けられた合成樹脂製のポケットホルダーに書類やカードを収納してリング式ファイルに綴じる方法も一般的に知られている。【０００３】  しかし、これらの方法では順序を入れ替えたり、ポケットファイルの種類を変更する際は、一度バインダーの止め具からはずす必要があり、自在とは言い難い。また、バインダーの止め具は金属や合成樹脂製が多く、軽い力では外しにくい場合がある。更に取扱説明書などの厚みのある書類を収納する場合は非常に厚みのある合成樹脂製ポケットホルダーの底に逆Ｖ字ガゼット折りを入れるなどし、更に上部フタ材を設けポケットホルダーから書類が落ちない工夫がされているが、これらの方法では資源がかかり過ぎていた。そこで、省資源でありながら力をかけずとも自在に着脱出来るファイルホルダーの考案が必要とされていた。
【考案が解決しようとする課題】
【０００４】  省資源であり、複数の合成樹脂製ポケットホルダーなどをひとまとめにしたセットをユニットとして、複数のユニットを表紙に自在に着脱出来る製品を提供する事を目的とする。
【課題を解決するための手段】
【０００５】  本考案による着脱自在なファイルホルダーは、通常フック形状の雄型面ファスナーを背表紙の内側面に重合せしめたカバー表紙と、ループ形状の雌型面ファスナーを合成紙製のフタ材を有するポケットホルダーユニットの最外面に重合せしめ、該ポケットホルダーユニットが該カバー表紙に着脱自在な機構を有する事となる。
【考案の効果】
【０００６】  本考案は、台紙に設けられた雄型面ファスナーテープと、合成紙のフタ材付きポケットホルダー２〜１０枚をひとまとめにして雌型面ファスナーテープを設けてなるポケットホルダーユニットとの着脱機構の利点を導入する事により達成された着脱自在なファイルホルダーであり、任意のポケットホルダーユニット台紙に着脱するのは非常に簡単である。また、従来の製品よりも資源削減が可能な地球に優しいファイルホルダーである。
【実施例】
【０００７】  本考案の着脱自在なファイルホルダーは、図１−ａ、１−ｂに示される様に、表紙をコの字形に折り曲げた状態での背表紙の内側面に、雄型面ファスナーをテープ状に設けたカバー表紙と、図２−ａ、図２−ｂに示される様に袋体を複数枚重合した状態のポケットホルダーセットの綴じ込み縁部に、雌型面ファスナーを設けたポケットホルダーユニットからなる。表紙は、厚紙や板紙の他、ポリプロピレンやポリエチレン、ポリエステル及びポリスチレン等の合成樹脂製シートもしくは合成紙等適宜選択される。又、直接素材表面に印刷を施すあるいは合成樹脂製フィルムに印刷を施したものをラミネート加工により貼り合わせても良い。本考案の着脱自在なファイルホルダーは、背表紙の内側面に雄型面ファスナーをテープ状に設けたカバー表紙と、該カバー表紙の面ファスナーに対して雌雄を成す面ファスナーを合成紙製フタ材を有するポケットホルダーの中央綴じ込み部に設けたポケットホルダーユニットにおける着脱自在な機構を最大の特徴とし、カバー表紙及びポケットホルダーの材質、表紙、ポケットホルダーに対する面ファスナーテープの接着方法は本考案に制限を与えるものではない。
【図面の簡単な説明】
【０００８】
【図１−ａ】  本考案におけるカバー内側正面図である。
【図１−ｂ】  カバー台紙を折り曲げた際の断面図である。この時、台紙の素材が熱可塑性合成樹脂製であれば、接着剤を使用せず、直接雄型面ファスナーテープを熱または超音波シール等で融着してもよい。
【図２−ａ】  ポケットホルダーを複数束ねて最外面の中央綴じ込み縁部に雌面ファスナーを重合せしめたポケットホルダーの正面図である。
【図２−ｂ】  図２−ａで示したポケットホルダーユニットの断面図である。
【図３】  カバー表紙に該ポケットホルダーユニットを複数枚装着した断面図である。
【図４】  図２−ａで示した形態のポケットホルダー１枚のＡ−Ａ´線断面図である。合成紙フタ材６を設けることにより収納する書類等が落ちにくく、また従来の製品よりも省資源となる。
【図５−ａ】  合成紙製フタ材を有する袋体の底部に熱又は超音波等で帯状の合成樹脂製フィルムを重合する事で成るポケットホルダーの正面図を示す。
【図５−ｂ】  図５−ａで示した形態のポケットホルダー１枚のＢ−Ｂ´線断面図である。
【図６−ａ】  合成紙製フタ材を有する袋体の底部に逆Ｖ字ガゼット折りを施したファイルホルダーの正面図を示す。
【図６−ｂ】  図５−ａで示した形態のポケットホルダーの１枚のＣ−Ｃ´線断面図である。逆Ｖ字ガゼット折りを有し、厚みのある書類等も収納できる。
【図７】  本考案におけるポケットホルダーの一態様の断面図である。
【符号の説明】
【０００９】１  袋体
２  ポケット部
３  フタ部
４  シール部
５  雌型面ファスナー
６  雄型面ファスナー
７  逆Ｖ字ガゼット部
８  カバー表紙
【図１−ａ】
0003144671.tif 000003
【図１−ｂ】
0003144671.tif 000004
【図２−ａ】
0003144671.tif 000005
【図２−ｂ】
0003144671.tif 000006
【図３】
0003144671.tif 000007
【図４】
0003144671.tif 000008
【図５−ａ】
0003144671.tif 000009
【図５−ｂ】
0003144671.tif 000010
【図６−ａ】
0003144671.tif 000011
【図６−ｂ】
0003144671.tif 000012
【図７】
0003144671.tif 000013